(57)【要約】【目的】  本発明の目的は、配線ダクトに配線を外部に導くための貫通孔を開設せず、当該配線ダクトの任意の位置から配線を外部に導き出すようにすることができる配線ダクト用の取付具及びこれを用いた配線ダクトを提供する。  【構成】  取付具Ａは、ダクト本体１００の内部３０２に嵌め込んだ状態で使用される断面視略Ｕ字状の部材であって、ダクト本体１００の収納路１１０に当接するベース部１０と、このベース部１０の幅方向の両端部からダクト本体１００の側壁部１２０、１２０に沿って立設されており且つその高さが当該側壁部１２０、１２０の高さより高いサイド部２０、２０とを有し、このサイド部２０、０２の先端部２１、２１がダクト本体１００の開口３０１を塞ぐための蓋体２００の幅方向の両端部に係合可能な構成となっている。【選択図】      図１
2005184931.tif 000002
【特許請求の範囲】
【請求項１】
筒状部材であり且つ上面に長さ方向にわたって配線を出し入れするための開口が形成されたダクト本体の内部に嵌め込んだ状態で使用される断面視略Ｕ字状の取付具であって、ダクト本体の底面に当接するベース部と、このベース部の幅方向の両端部からダクト本体の側壁部に沿ってそれぞれ立設されており且つその高さが当該側壁部の高さより高いサイド部とを有し、このサイド部の先端部がダクト本体の開口を塞ぐための断面視略逆Ｕ字状の蓋体の幅方向の両端部に係合可能な構成となっていることを特徴とする配線ダクト用の取付具。
【請求項２】
筒状部材であり且つ上面に長さ方向にわたって配線を出し入れするための開口が形成されたダクト本体と、このダクト本体の開口を塞ぐための蓋体と、ダクト本体の内部に嵌め込まれる断面視略Ｕ字状の取付具とを具備し、この取付具は、ダクト本体の底面に当接するベース部と、このベース部の幅方向の両端部からダクト本体の側壁部に沿ってそれぞれ立設されており且つその高さが当該側壁部の高さより高いサイド部とを有し、このサイド部の先端部が蓋体の幅方向の両端部に係合可能な構成となっていることを特徴とする配線ダクト。
【請求項３】
請求項２記載の配線ダクトにおいて、前記蓋体には、前記ダクト本体と、取付具により保持された当該蓋体との間に生じた隙間を開閉可能に閉塞する閉塞部材が設けられていることを特徴とする配線ダクト。
【発明の詳細な説明】
【技術分野】
【０００１】
本発明は、ＯＡ機器等の配線や機器、構内の配線等を収納する配線ダクト用の取付具及びこれを用いた配線ダクトに関する。
【背景技術】
【０００２】
この種の配線ダクトは、筒状部材であり且つ上面に長さ方向にわたって配線を出し入れするための開口が形成されたダクト本体と、このダクト本体の開口を閉塞する蓋体とを有する基本構成となっている( 特許文献１参照) 。このような配線ダクトのダクト本体には、配線を外部に導くための貫通孔が開設されている。
【０００３】
【特許文献１】特開２００２−３１４２６８号公報
【発明の開示】
【発明が解決しようとする課題】
【０００４】
ところが、前記ダクト本体に前記貫通孔を開設するためにはプレス加工等を行う必要がある。プレス加工を行うに当たっては、ダクト本体を成形する成形金型の他に、プレス加工用のプレス金型を作成しなければならない。このプレス金型は、成形金型の約３〜４倍の費用がかかることから、コスト高になるという本質的な問題を有している。
【０００５】
また、前記ダクト本体は、所定のピッチ間隔で前記貫通孔が設けられているが、当該貫通孔から配線を外部に導く構成である以上、配線の外部に導き出す位置をユーザーが容易に変更することができかった。
【０００６】
さらに、アダプタ等の機器を収納する場合、前記配線ダクトは、その高さ寸法を変更することができないことから、前記機器の大きさによっては収納できないものが出てくる。
【０００７】
本発明は、上記事情に鑑みて創案されたものであって、その目的とするところは、上記問題を解決し得る配線ダクト用の取付具及びこれを用いた配線ダクトを提供することにある。
【課題を解決するための手段】
【０００８】
上記課題を解決するために、本発明の配線ダクト用の取付具は、筒状部材であり且つ上面に長さ方向にわたって配線を出し入れするための開口が形成されたダクト本体の内部に嵌め込んだ状態で使用される断面視略Ｕ字状の取付具であって、ダクト本体の底面に当接するベース部と、このベース部の幅方向の両端部からダクト本体の側壁部に沿ってそれぞれ立設されており且つその高さが当該側壁部の高さより高いサイド部とを有し、このサイド部の先端部がダクト本体の開口を塞ぐための断面視略逆Ｕ字状の蓋体の幅方向の両端部に係合可能な構成となっている。
【０００９】
また、本発明の配線ダクトは、筒状部材であり且つ上面に長さ方向にわたって配線を出し入れするための開口が形成されたダクト本体と、このダクト本体の開口を塞ぐための蓋体と、ダクト本体の内部に嵌め込まれる断面視略Ｕ字状の取付具とを具備し、この取付具は、ダクト本体の底面に当接するベース部と、このベース部の幅方向の両端部からダクト本体の側壁部に沿ってそれぞれ立設されており且つその高さが当該側壁部の高さより高いサイド部とを有し、このサイド部の先端部が蓋体の幅方向の両端部に係合可能な構成となっている。
【００１０】
好ましくは、前記蓋体には、前記ダクト本体と、取付具により保持された当該蓋体との間に生じた隙間を開閉可能に閉塞する閉塞部材が設けられていることが望ましい。
【発明の効果】
【００１１】
本発明の請求項１に係る配線ダクト用の取付具による場合、ダクト本体に嵌合し、その状態でダクト本体の側壁部の高さより高いサイド部の先端部が蓋体を当該ダクト本体から離した上方位置で保持するようになっているので、ダクト本体と蓋体との間に隙間を設けることができる。この隙間の任意の位置から配線を外部に出し入れすることができるので、配線ダクトを製造するに当たって、従来例のごとくダクト本体に配線を外部に導くための貫通孔を開設する必要なく、低コスト化を図ることができる。しかも、サイド部の高さを背高に設定すれば、配線ダクトの高さ寸法を高くすることができる。即ち、高さ寸法の異なる複数種類の取付具を用いれば、高さ寸法が異なる複数種類の配線ダクトを作成する必要がなく、複数種類の配線ダクトを作成するための複数種類の成形金型を用意する必要がない。前記取付具は前記配線ダクトに比べて安価に製造できることから、低コスト化を図る上でメリットがある。さらに、隙間の任意の位置から配線を外部に導くことができるので、非常に使用し易くなる。
【００１２】
本発明の請求項２に係る配線ダクトによる場合、請求項１と同様の効果を得ることができる。
【００１３】
本発明の請求項３に係る配線ダクトによる場合、閉塞部材によってダクト本体と蓋体との間の隙間を塞ぐことができるので、塵や埃が配線ダクト内に侵入するのを防ぐことができる。
【発明を実施するための最良の形態】
【００１４】
以下、本発明の実施の形態について説明する。
【実施例１】
【００１５】
まず、本発明の実施の形態に係る配線ダクト用の取付具について図面を参照しながら説明する。図１は本発明の実施の形態に係る配線ダクト用の取付具を配線ダクトに取り付けた状態を示す図であって、( ａ) が概略的断面図、( ｂ) が概略的斜視図、図２は同取付具の概略的斜視図である。
【００１６】
図１及び２に示す配線ダクトＢ用の取付具Ａは、筒状部材であり且つ上面に長さ方向にわたって配線を出し入れするための開口１０１が形成されたダクト本体１００と、このダクト本体１００の開口１０１を閉塞する蓋体２００とを有する配線ダクトＢに取り付けられる取付具である。
【００１７】
まず、配線ダクトＢについて説明する。配線ダクトＢは従来例で示したものと同様のものである。ダクト本体１００は、図１に示すように、断面視略凹字状の樹脂成形品であって、収納された配線Ｌが載置される底面部分である収納路１１０と、この収納路１１０の幅方向の両端部からそれぞれ上方に向けて垂直に立設された側壁部１２０、１２０とを有する構成となっている。この収納路１１０及び側壁部１２０、１２０の内側の面がダクト本体の内部１０２となり、側壁部１２０、１２０の間が開口１０１となるのである。また、側壁部１２０、１２０の先端部は屈曲しており、その外側に蓋体２００の係合凸部２２１、２２１を係合するための係合溝部１２１、１２１が設けられている。
【００１８】
蓋体２００は、図１に示すように、ダクト本体１００に被さるように取り付けられる断面視略逆凹字状の樹脂成形品であって、上面部２１０と、この上面部２１０の幅方向の両端部からそれぞれ下方に向けて垂直に立設された側壁部２２０、２２０とを有する構成となっている。側壁部２２０、２２０の先端部には、ダクト本体１００の係合溝部１２１、１２１に係合される係合凸部２２１、２２１が内側に向けて突設されている。
【００１９】
次に取付具Ａについて説明する。取付具Ａは、図１及び２に示すように、ダクト本体１００の内部１０２に嵌合可能な断面視略Ｕ字状の部材であって、ダクト本体１００の収納路１１０に当接するベース部１０と、このベース部１０の幅方向の両端部からダクト本体１００の側壁部１２０、１２０の内側面に沿ってそれぞれ立設されたサイド部２０、２０とを有する基本構成となっている。サイド部２０、２０はその高さが側壁部１２０、１２０の高さより高く構成されている。
【００２０】
サイド部２０、２０の先端部２１、２１は、外側に向けて凸となるように折り曲げられ、その後、水平にされている。この先端部２１、２１が蓋体２００の係合凸部２２１、２２１と上面部２１０との間の凹部( 即ち、蓋体２００の両端部) に係合可能になっている。
【００２１】
このように構成された取付具Ａを、開口１０１からダクト本体１００に押し込む。これにより取付具Ａがダクト本体１００の長さ方向の両端部の内部１０２の任意の箇所に嵌合される( 図１の( ｂ) 参照) 。その後、取付具Ａの先端部２１、２１を蓋体１００の係合凸部２２１、２２１と上面部２１０との間の凹部に係合させる。このようにしてダクト本体１００及び蓋体２００に取付具Ａを取り付けると、蓋体２００がダクト本体１００から離れた上方位置で保持されるので、ダクト本体１００と蓋体２００との間に生じる隙間の任意の箇所から配線Ｌを外部に導き出すことができる( 図１の( ｂ) 参照) 。従って、従来品である配線ダクトＢを作成するに当たって、従来例のごとくダクト本体４００に配線Ｌを外部に導くための貫通孔を開設する必要がないので、低コスト化を図ることができる。しかも、サイド部２０、２０の高さを背高に設定すれば、配線ダクトＢの高さ寸法を高くすることができる。即ち、高さ寸法の異なる複数種類の取付具Ａを用いれば、高さ寸法が異なる複数種類の配線ダクトＢを作成する必要がなく、複数種類の配線ダクトＢを作成するための複数種類の成形金型を用意する必要がない。前記取付具Ａは配線ダクトＢに比べて安価に製造できることから、この点でも低コスト化を図ることができる。さらに、隙間の任意の位置から配線Ｌを外部に導くことができるので、非常に使用し易くなる。
【００２２】
なお、取付具Ａは配線ダクトＢに取り付けられる取付具として説明したが、他の従来品の配線ダクトのダクト本体の内部に嵌め込んだ状態で使用される断面視略Ｕ字状の取付具であって、ダクト本体の底面に当接するベース部と、このベース部の幅方向の両端部からダクト本体の側壁部に沿ってそれぞれ立設されており且つその高さが当該側壁部の高さより高いサイド部とを有し、このサイド部の先端部がダクト本体の開口を塞ぐための断面視略逆Ｕ字状の蓋体の幅方向の両端部に係合可能な構成となっていることも可能である。
【実施例２】
【００２３】
次に、本発明の実施の形態にかかる配線ダクトについて図面を参照しながら説明する。図３は本発明の実施の形態にかかる配線ダクトの概略的断面図、図４は閉塞部材が設けられていない同ダクトを示す概略的断面図である。
【００２４】
図３に示す配線ダクトＣは、筒状部材であり且つ上面に長さ方向にわたって配線Ｌを出し入れするための開口３０１が形成されたダクト本体３００と、このダクト本体３００の開口３０１を塞ぐための蓋体４００と、ダクト本体３００の内部３０２の任意の箇所に嵌合可能な断面視略Ｕ字状の部材である取付具５００とを具備する。以下、各部を詳しく説明する。
【００２５】
ダクト本体３００は、断面視略凹字状の樹脂成形品であって、収納された配線Ｌが載置される底面部分である収納路３１０と、この収納路３１０の幅方向の両端部からそれぞれ上方に向けて垂直に立設された側壁部３２０、３２０とを有する構成となっている。この収納路３１０及び側壁部３２０、３２０の内側の面がダクト本体３００の内部３０２となり、側壁部３２０、３２０の間が開口３０１となるのである。また、側壁部３２０、３２０の先端部は内側に向けて折り曲げられている。
【００２６】
取付具５００は、ダクト本体３００の収納路３１０に当接するベース部５１０と、このベース部５１０の幅方向の両端部からダクト本体３００の側壁部３２０、３２０の内側面に沿ってそれぞれ立設されたサイド部５２０、５２０とを有する基本構成となっている。サイド部５２０、５２０はその高さが側壁部３２０、３２０の高さより高く構成されている。
【００２７】
サイド部５２０、５２０の先端部５２１、５２１は、外側に向けて凸となるように折り曲げられ、その後、水平にされている。この先端部５２１、５２１が蓋体４００の側壁部４２０、４２０の内側面４２１、４２１に係合可能になっている。
【００２８】
蓋体４００は、断面視略逆凹字状の樹脂成形品であって、開口３０１を閉塞する上面部４１０と、この上面部４１０の幅方向の両端部からそれぞれ下方に向けて垂直に立設された側壁部４２０、４２０とを有する構成となっている。側壁部４２０、４２０の先端部は内側に向けて凸設されている。これにより側壁部４２０、４２０の内側面４２１、４２１が凹状になっている。
【００２９】
閉塞部材６００、６００は、側壁面４２０、４２０に一体成形で取り付けられた部材であって、ゴム、エラストマ等の軟質材で構成されている。この閉塞部材６００、６００は、ダクト本体３００と、取付具５００により保持された蓋体４００との間に生じる隙間を開閉可能に閉塞する。このように前記隙間を閉塞部材６００、６００で閉塞すればダクト本体３００内に塵や埃が入り込むのを防止することができる。しかも、当該ダクト本体３００には配線Ｌを外部に導くための貫通孔が開設されていないので、閉塞部材６００、６００を取り付ければ、従来例よりも塵や埃の侵入を防止できるのである。
【００３０】
このような配線ダクトＣは次のようにして組み立てられる。まず、取付具５００を開口３０１からダクト本体３００に押し込む。これにより取付具５００がダクト本体３００の長さ方向の両端部の内部３０２の任意の箇所に嵌合される。そして、この状態の取付具５００の先端部５２１、５２１を蓋体４００の側壁部４２０、４２０の内側面４２１、４２１に係合させる。これにより蓋体４００がダクト本体３００から離れた上方位置で保持されると共に、ダクト本体３００と蓋体４００との間に生じる隙間は閉塞部材６００、６００によって閉塞される。
【００３１】
このように組み立てられた配線ダクトＣは、ダクト本体３００の収納路３１０及び取付具５００のベース部５１０に設けた取付孔( 図示せず) にビス等を挿入し、床や壁等に取り付けられる。このような配線ダクトＣによる場合、ダクト本体３００と蓋体４００との間に生じる隙間の任意の位置から閉塞部材６００、６００を弾性変形させて配線Ｌを外部に導き出すことができる。従って、従来例のごとくダクト本体３００に配線Ｌを外部に導くための貫通孔を開設する必要がなく、低コスト化を図る上でメリットがある。
【００３２】
配線ダクトＣについては、筒状部材であり且つ上面に長さ方向にわたって配線Ｌを出し入れするための開口３０１が形成されたダクト本体３００と、このダクト本体３００の開口３０１を塞ぐための蓋体４００と、ダクト本体３００の内部３０２に嵌め込まれる断面視略Ｕ字状の取付具５００とを具備し、この取付具５００は、ダクト本体３００の底面に当接するベース部５１０と、このベース部５１０の幅方向の両端部からダクト本体３００の側壁部３２０、３２０に沿ってそれぞれ立設されており且つその高さが当該側壁部３２０、３２０の高さより高いサイド部５２０、５２０とを有し、このサイド部５２０、５２０の先端部５２１、５２１が蓋体４００の幅方向の両端部に係合可能な構成となっている限りどのような設計変更を行ってもかまわない。
【００３３】
取付具５００については、先端部５２１、５２１に断面視略Ｙ字状の把持部を設け、蓋体４００の両端部を把持するようにすることも可能である。また、取付具５００の先端部５２１、５２１に、蓋体４００の側壁部４２０、４２０の内側面４２１、４２１に係合可能な係合部を複数設け、所望の配線ダクトＣの高さ寸法に応じて前記係合部をカットするようにすることができる。このようにすれば、配線ダクトＣの高さ寸法を可変可能にすることができる。のあ取付具５００の側壁面４２０、４２０には、閉塞部材６００、６００が一体成形で取り付けられるとしたが、図４に示すように、閉塞部材６００、６００を設けなくても良い。
【図面の簡単な説明】
【００３４】
【図１】本発明の実施の形態に係る配線ダクト用の取付具を配線ダクトに取り付けた状態を示す図であって、( ａ) が概略的断面図、( ｂ) が概略的斜視図である。
【図２】同取付具の概略的斜視図である。
【図３】本発明の実施の形態にかかる配線ダクトの概略的断面図である。
【図４】閉塞部材が設けられていない同ダクトを示す概略的断面図である。
【符号の説明】
【００３５】
Ａ      取付具
１０    先端部
Ｂ      配線ダクト
１００  ダクト本体
２００  蓋体
Ｃ      配線ダクト
３００  ダクト本体
４００  蓋体
５００  取付具
６００  閉塞部材
【図１】
2005184931.tif 000003
【図２】
2005184931.tif 000004
【図３】
2005184931.tif 000005
【図４】
2005184931.tif 000006